Podtech/llm-jp-corpus-v4-ja_patent huggingface dataset:
(57)【要約】      （修正有）【課題】トイレや洗面台の陶器などの黄ばみや水垢を簡単に落とすことができるヤスリ付き手袋を提供する。【解決手段】トイレや洗面台の陶器などに付いた黄ばみや尿石を落とすには、洗剤の代わりに耐水サンドペーパーを取り付けた手袋で直接擦る。トイレ等に付いた水垢や尿石の除去には、耐水サンドペーパーの番手を替えた手袋を数種類用意しておき、汚れ具合により、粗い番手から順次番手を替えて仕上げていく。耐水サンドペーパーは手のしなり形状に合わせて使用できるので、球面状や水道の蛇口などの形状に合わせやすく、混合水洗のお湯側に付く湯垢も強弱を付けて磨くと簡単に落とすことが出来る。さらに、手袋の材質にゴムやプラスチック・ビニール等の化学合成品を使用した場合、トイレ等の汚れ部分に直接手が触れることがないので衛生的である。【選択図】図１
0003138011.tif 000002
【実用新案登録請求の範囲】
【考案の詳細な説明】
【考案の目的】
木材の表面処理や金属の表面処理に手作業は欠かせません。手袋にヤスリをのり付けすることにより手の感触を残しつつ表面処理ができます。また、トイレなどの陶器のそうじにもゴム手袋にヤスリをのり付けし、作業を行うと効果的に行うことができます。
【図面の簡単な説明】
【図１】手形の中にある四角の部分にヤスリを貼る。また手全体をヤスリにとするも可能とする。
【図１】
0003138011.tif 000003
【手続補正書】
【提出日】平成18年2月2日(2006.2.2)
【手続補正１】
【補正対象書類名】実用新案登録請求の範囲
【補正対象項目名】全文
【補正方法】変更
【補正の内容】
【実用新案登録請求の範囲】
【請求項１】
本考案はヤスリを手袋に取り付ける。トイレや洗面台の黄ばみや水垢等の掃除をする場合、図のように耐水サンドペーパーを貼り付けた手袋で、直接擦ると汚を取り除くことが出来る。トイレ等に付いた水垢や尿石の除去には、耐水サンドペーパーの番手を替えた手袋を数種類用意しておき、汚れ具合により、粗い番手から順次番手を替えて仕上げていくと綺麗にすることが出来る。耐水サンドペーパーは手のしなり形状に合わせて使用できるので、球面状や水道の蛇口などの形状に合わせやすく、混合水洗のお湯側に付く湯垢も強弱を付けて磨くと綺麗に落とすことが出来る。
手袋の材質をゴムやプラスチック・ビニール等の化学合成品を使用した場合、トイレ等の汚れ部分に直接手が触れることがないので衛生的である。また、手袋の材質を繊維等にする事によって、布製サンドペーパーを縫いつけることも出来、利用範囲が広がり自動車等の板金塗装の下地処理にも利用が出来る。さらに、手袋にフェルト系の繊維を貼り付け、この繊維に液体コンパウンド等の研磨剤を染み込ませることにより、木材および金属の表面仕上げに利用することが出来る。
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
本考案は、図のように耐水サンドペーパーを貼り付けたヤスリ付き手袋。
「ヤスリの取り付け方法において、
（１）のり付け
（２）縫い付け
（３）マジックテープ等の接着
ヤスリの材質において、
（１）布製・紙製（耐水）サンドペーパー
（２）フェルト等
手袋の材質において、
（１）ゴム製
（２）プラスチック製
（３）布製
（４）化学繊維等
以上からなるヤスリ付き手袋。」
【手続補正書】
【提出日】平成18年9月20日(2006.9.20)
【手続補正１】
【補正対象書類名】実用新案登録請求の範囲
【補正対象項目名】全文
【補正方法】変更
【補正の内容】
【実用新案登録請求の範囲】
【請求項１】
本考案は、手袋の手のひら側にヤスリを部分的「指部分は、指一本ごと、または、関節に分けて取り付け特に指の先端部は指を取り巻くようにし作業時の感触がより得られやすくする。手のひらは何枚かに分けるか一枚で仕上げ、手のひらの形状に合わせて曲げやすくする。」又は、指も含めた手のひら全面に一体で取り付ける。手袋の材質・ヤスリの材質・ヤスリの取り付け方法との組み合わせは任意とする。
「ヤスリの取り付け方法は、（１）のり付け（２）縫いつけ（３）マジックテープ等（４）その他
ヤスリの材質は、（１）布製（２）紙製（３）フェルト製（４）化学繊維（５）皮革製（６）合成皮革製（７）その他
手袋の材質は、（１）布製（２）化学繊維製（３）皮革製（４）合成皮革製（５）天然ゴム製（６）塩化ビニール製（７）発砲塩化ビニール製（８）ニトリルゴム製（９）ポリエチレン製（１０）その他
以上からなるヤスリ付き手袋。」
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、手袋の手のひら側にヤスリを、部分的に手のひらと指の関節ごとに分けて取り付けるか指も含めた手のひら全体に取り付ける。手袋の材質、ヤスリの材質、ヤスリの取り付け方法との組み合わせは任意とする。
「ヤスリの取り付け方法は、（１）のり付け（２）縫いつけ（３）面ファスナー（４）その他
ヤスリの材質は、（１）布製（２）紙製（３）フェルト製（４）化学繊維（５）皮革製（６）合成皮革製（７）その他
手袋の材質は、（１）布製（２）化学繊維製（３）皮革製（４）合成皮革製（５）天然ゴム製（６）塩化ビニール製（７）発砲塩化ビニール製（８）ニトリルゴム製（９）ポリエチレン製（１０）その他
以上からなるヤスリ付き手袋。」
【手続補正２】
【補正対象書類名】図面
【補正対象項目名】全図
【補正方法】変更
【補正の内容】
【図１】
0003138011.tif 000004
【手続補正書】
【提出日】平成19年5月15日(2007.5.15)
【手続補正１】
【補正対象書類名】実用新案登録請求の範囲
【補正対象項目名】全文
【補正方法】変更
【補正の内容】
【実用新案登録請求の範囲】
【請求項１】
手袋の手のひら側にヤスリを全面に、又は手のひらと指の関節に分けて部分的に取り付ける。
また、手袋の材質・ヤスリの材質・ヤスリの取り付け方法の組み合わせは任意とし、手袋の材質は布製、化学繊維製、皮革製、合成皮革製、天然ゴム製、塩化ビニール製、発泡塩化ビニール製、ニトリルゴム製、ポリエチレン製。ヤスリの材質は、布製、紙製、フェルト製、化学繊維製、皮革製、合成皮革製。ヤスリの取り付け方法は、のり付け、縫いつけ、面ファスナーとする。
【手続補正書】
【提出日】平成19年8月16日(2007.8.16)
【手続補正１】
【補正対象書類名】実用新案登録請求の範囲
【補正対象項目名】全文
【補正方法】変更
【補正の内容】
【実用新案登録請求の範囲】
【請求項１】
手袋の手のひら側にヤスリを全面に、又は手のひらと指の関節に分け部分的に取り付けることを特徴とするヤスリ付き手袋。
(57)【要約】【課題】地質調査などボーリングで円筒形の穴を開け地下水などを取水する際に、ボーリングの穴壁と取水パイプの隙間に均等に粗石を詰め込む必要があり、特に水質調査などでは厳密に行う必要がある。さらに、作業効率を高めるための要望も多く、あらゆるパイプサイズに対応できる道具が必要となってきた。【解決手段】本考案は、パイプに巻付けるバンド部１ａ、１ｂ、ガイド部２、留金３ａ、３ｂからなるもので、ガイド部２は弾性力のある材質を使用。埋設パイプ４に合わせバンド部１ａ、１ｂを切る。ボーリング穴に合わせ、ガイド部２を外側に張出すように埋設パイプ５に巻付け、上下二ヶ所の留金３ａ、３ｂで固定する。ガイド部２の張出し具合によって自由にサイズを変えられるため、現場の作業性や効率も良く、経済的な問題も解決している【選択図】図３
0003138013.tif 000002
【実用新案登録請求の範囲】
【請求項１】
本用具は、ボーリング調査等で地中に開いた穴にパイプ等の円筒形のものを埋設する際に、開いた穴に対し均等にパイプを設置し埋設するための道具でありボーリングの穴径、パイプのサイズにかかわらず対応できる物で、効率的に作業が出来ることを特徴とした地中埋設パイプ均等配置用具である。
【考案の詳細な説明】
【技術分野】
【０００１】本考案は、ボーリング調査等で地中に開けた穴にパイプ等を挿入し設置する際に、穴に対し均等に配置するための道具であり、地質調査等に使用する道具に関するものである。
【背景技術】
【０００２】今までは、ボーリングなどで開いた穴径とパイプの径に対して特定の限定されたサイズだけで、あらゆるサイズに自由に対応できる道具はなかった。
【考案の開示】
【考案が解決しようとする課題】
【０００３】地中から地下水などを取水する際に、ボーリングで開いた穴壁と取水用のパイプとの隙間に均等に粗石を詰め込む必要がある。これは地中の細かい土などが直接取水された水に混入するのを防ぐためである。したがって、ボーリングの穴に対し均等にパイプを埋設する必要があり、ボーリングの穴とパイプのサイズにとらわれずに、どんなサイズにも対応できる事によって、本考案の地中埋設パイプ均等配置用具は前述の問題を解消しようというものである。
【課題を解決するための手段】
【０００４】本考案は、バンド部、ガイド部、止金からなる物でガイド部は弾性力のある材質を使う。始めにパイプの径に合わせバンド部をカットし、バンド部をパイプに巻付け、留金で固定する。さらにバンド部をお互いに寄せ合うように上下にスライドさせることでガイド部全体が外側に張り出し、地中に開いた穴に合わせガイド部の張り出し具合を調整する。これにより自由にサイズを変えられることで問題を解決している。
【考案の効果】
【０００５】上述のように本考案は、現場作業でボーリングの穴径やパイプの径を気にすることなくその場でサイズ合わせが可能で、事前の確認作業も軽減され、急な変更にも対応できるので作業効率も良く経済的にも優れている。
【考案を実施するための最良の形態】
【０００６】埋設するパイプの直径に合わせ地中埋設パイプ均等配置用具の長さを切る。埋設パイプに地中埋設パイプ均等配置用具を巻付ける。バンド部の角穴に留金を両端から引掛けネジで軽く留める。ボーリング穴に合わせるため上下のバンド部を寄せ合うようにスライドさせる。ガイド部が外側に張り出しボーリング穴に程よく収まる直径になった時点で留金を完全に固定する。埋設パイプの長さによって、数ヶ所取り付ける。
【実施例】
【０００７】以下、添付図面に従って実施例を説明する。１はパイプに巻付けるバンド部である。
２はガイド部である。３は角穴である。４は留金である。【０００８】始めに埋設するパイプ５の直径に合わせ二ヶ所のバンド部１ａ，１ｂを任意の長さに切る。埋設パイプ５に巻付け留金３ａ，３ｂを角穴４に引掛け軽く留め、バンド部１ａ，１ｂを互いに寄せ合う方向にスライドさせることでガイド部２が外側に張り出し、ボーリング穴の直径に合ったところで留金３ａ，３ｂを固定する。パイプの長さに応じて任意の間隔で配置する。
【図面の簡単な説明】
【０００９】
【図１】地中埋設パイプ均等配置用具の斜視図である。
【図２】埋設パイプに取付けた斜視図である。
【図３】ボーリング穴に合わせガイド部が外側に張出した斜視図である。
【図４】地中設置断面図
【符号の説明】
【００１０】１ａ  バンド部上
１ｂ  バンド部下
２    ガイド部
３ａ  留金上
３ｂ  留金下
４    角穴
５    埋設パイプ
６    ボーリング穴壁
７    地中埋設パイプ均等配置用具
【図１】
0003138013.tif 000003
【図２】
0003138013.tif 000004
【図３】
0003138013.tif 000005
【図４】
0003138013.tif 000006
【手続補正書】
【提出日】平成19年6月7日(2007.6.7)
【手続補正１】
【補正対象書類名】実用新案登録請求の範囲
【補正対象項目名】請求項１
【補正方法】変更
【補正の内容】
【請求項１】
本用具は、バンド部（１ａ）、（１ｂ）、ガイド部（２）、留金（３ａ），（３ｂ），からなる物で、（図３）で、ガイド部（２）を外側に張り出すように、埋設パイプに留金（３ａ），（３ｂ）によって取り付け、ガイド部（２）は弾性力のある材質を使うことで、容易に均等配置を可能とした、地中埋設パイプ均等配置用具。
【手続補正書】
【提出日】平成19年9月19日(2007.9.19)
【手続補正１】
【補正対象書類名】実用新案登録請求の範囲
【補正対象項目名】全文
【補正方法】変更
【補正の内容】
【実用新案登録請求の範囲】
【請求項１】
四角いシート状の物に、角穴を格子状に横に並ぶように数ヶ所設け、角穴と角穴の間が、ガイド部になり、上下がバンド部になり、バンド部には上下それぞれに、留金にて固定するための角穴を多数横並びに設けたハシゴ形状板材をガイド部を外側に、湾曲した状態で、地中埋設パイプに巻付け、留金にて固定した状態で使用する、地中埋設パイプ均等配置用具。
(57)【要約】【課題】  エコノミー症候群を防ぐために、足のツボである血海（けっかい）と委中（いちゅう）を刺激するベルトを提供する。【解決手段】（イ）ベルト１の同一面に、血海（けっかい）のツボを刺激する突起部１１と委中（いちゅう）のツボを刺激する突起部１２を設ける。（ロ）突起部１１と突起部１２の数は、それぞれ１以上とする。（ハ）突起部１２は袋状で、空気を送り込むと膨らみ、空気を抜くと縮む。【選択図】図１
0003138039.tif 000002
【実用新案登録請求の範囲】
【請求項１】
下記の構成よりなっている、血海（けっかい）と委中（いちゅう）のツボを刺激するベルト。
（イ）ベルト１の同一面に、血海（けっかい）のツボを刺激する突起部１１と委中（いちゅう）のツボを刺激する突起部１２を設ける。
（ロ）突起部１１と突起部１２の数は、それぞれ１以上とする。
（ハ）突起部１２は袋状で、空気を送り込むと膨らみ、空気を抜くと縮む。
【考案の詳細な説明】
【技術分野】
【０００１】  この考案は、エコノミー症候群を防ぐために、足の血行を良くするツボである血海（けっかい）と委中（いちゅう）を刺激するベルトに関するものである。
血海（けっかい）とは膝から約２．５センチ上のへこんだ部分であり、委中（いちゅう）とは膝の裏の太い横じわの真ん中の部分である。
【背景技術】
【０００２】  従来の足を刺激するベルトは、ベルトを袋状にして、ふくらはぎなどに巻きつけ、袋内にエアーコンプレッサーなどで空気を出し入れさせるものが多かった。
【考案の開示】
【考案が解決しようとする課題】
【０００３】  このベルトを袋状にしたものは、袋を巻きつけた部分全体を刺激するので、足の血行を良くするツボを直接刺激しにくいという欠点があった。
【課題を解決するための手段】
【０００４】  本考案はこれらの欠点を解決するために成されたものである。
本考案は、図１で示すように、下記の構成よりなっている。
（イ）ベルト１の同一面に、血海（けっかい）のツボを刺激する突起部１１と委中（いちゅう）のツボを刺激する突起部１２を設ける。
（ロ）突起部１１と突起部１２の数は、それぞれ１以上とする。
（ハ）突起部１２は袋状で、空気を送り込むと膨らみ、空気を抜くと縮む。
本考案は、以上のような血海（けっかい）と委中（いちゅう）のツボを刺激するベルトである。
【考案の効果】
【０００５】  突起部１１と突起部１２が血海（けっかい）と委中（いちゅう）というツボを直接刺激するので、効率よく足の血行を良くすることができる
【考案を実施するための最良の形態】
【０００６】  以下、本考案を実施するための最良の形態を説明する。
本考案は下記の構成よりなっている、血海（けっかい）と委中（いちゅう）のツボを刺激するベルト１である。
（イ）ベルト１の同一面に、血海（けっかい）のツボを刺激する突起部１１と委中（いちゅう）のツボを刺激する突起部１２を設ける。
（ロ）突起部１１と突起部１２の数は、それぞれ１以上とする。
（ハ）突起部１２は袋状で、空気を送り込むと膨らみ、空気を抜くと縮む。
これらを次に詳しく説明する。【０００７】  （イ）の「ベルト１の同一面に、血海（けっかい）のツボを刺激する突起部１１と委中（いちゅう）のツボを刺激する突起部１２を設ける。」について説明する。血海（けっかい）と委中（いちゅう）のツボを刺激するために、ベルト１を膝に巻きつけるので、図４に示すように、突起部１１と突起部１２をベルト１の同一面に配置する必要がある。【０００８】  ツボの位置は個人差があるため、突起部１１はベルト１に固定せず、ある一定の範囲を手で動かして移動できるようにしてもよい。移動できるようにする場合は、図１、図２で示すように、突起部１１を布４１で覆い、布４１をたるませて突起部１１が移動できることを確認してから、布４１の端をベルト１に取り付ける。取り付け方は、縫い付けでも接着剤を使用しても良い。【０００９】  ツボの位置は個人差があるが、突起部１２はベルト１に固定する。それは、本考案を使用すると、突起部１２は膝の裏側に位置してしまうので、手で動かして移動しにくいからである。それに委中（いちゅう）のツボは比較的わかりやすい位置であるから、突起部１２はベルト１に固定しても支障はない。【００１０】  （ロ）の「突起部１１と突起部１２の数は、それぞれ１以上とする。」について説明する。突起部１１と突起部１２を設ける数は１個で十分であるが、ツボの位置は個人差があるため、複数配置する場合がある。【００１１】  （ハ）の「突起部１２は袋状で、空気を送り込むと膨らみ、空気を抜くと縮む」について説明する。委中（いちゅう）のツボを刺激するために、突起部１２は袋状で、空気を送り込むと膨らみ、空気を抜くと縮むようにする。一般的には、エアーコンプレッサーを使用して、袋状の突起部１２に空気を送り込んで膨らませ、ある一定の圧力になると袋状の突起部１２から空気を抜くようにする。
【使用例】
【００１２】  本考案は次のように使用する。
１：突起部１２を膝の裏の委中（いちゅう）のツボに当てる。
２：ベルト１を膝に巻きながら、突起部１１を膝から約２．５センチ上のへこんだ部分のツボ・血海（けっかい）に当てる。このときツボにうまく当たらないときは突起部１１を手で動かして移動させる。
３：ベルト１が膝に巻き終えたら、マジックテープ２１をくっつけて、ベルト１を固定させる。
４：エアーコンプレッサー２２を始動させる。
５：空気が入ると突起部１２は膨らむが、ベルト１は固定されているので、突起部１２はツボ・血海（けっかい）に刺激を与えると同時に、ベルト１を押し上げようとする。この時、突起部１１にも力が加わり、委中（いちゅう）のツボを刺激する。
【図面の簡単な説明】
【００２１】
【図１】は、本考案の平面図である。
【図２】は、本考案の正面図である。
【図３】は、本考案の使用例を示す図である。
【図４】は、本考案の使用例を示す図である。
【符号の説明】
【００３１】１ベルト    １１突起部    １２突起部
２１マジックテープ    ２２エアーコンプレッサー    ２３パイプ
３１膝    ４１布
【図１】
0003138039.tif 000003
【図２】
0003138039.tif 000004
【図３】
0003138039.tif 000005
【図４】
0003138039.tif 000006
(57)【要約】      （修正有）【課題】手軽で効果的なカラスよけを提供する。【解決手段】鳥よけ本体２にあたる部分は、黄色のビニールヒモを１０本ほど束ね、その真ん中をつり下げ用ヒモ３で結び、そこを支点にしてビニールヒモの両端を合わせるように半分に折り曲げ、つり下げ用ヒモ３の数センチメートル下を留めヒモ４で結んだ構成になっている。これを、ベランダの手すりやゴミ置き場などに約１〜２ｍ間隔に吊す。【選択図】図１
0003138036.tif 000002
【実用新案登録請求の範囲】
【請求項１】
カラスなどの害鳥が嫌忌する黄色のビニールひもを、ハタキのような形状になるように２０本ほどまとめ束ねたものを、ベランダやの手すりやごみ置き場の柵など鳥を避けたい場所にくくりつけてつるすことにより鳥よけ効果を発揮する、簡単手軽に利用できることを特徴とする鳥よけ。
【考案の詳細な説明】
【技術分野】
【０００１】  本考案は、カラスなど鳥が嫌がるとされている黄色など色の付いた複数のビニールひもを束ね、ベランダなどに吊すことによって鳥を近づけにくくさせることができる鳥よけである。
【背景技術】
【０００２】  従来から、鳥よけは何種類も利用されている。なかでも、カラスは黄色を嫌うということから、黄色いゴミ袋や、ゴミを覆うための黄色いネットなど販売されている。
【考案の開示】
【考案が解決しようとする課題】
【０００３】  しかし、従来の鳥よけは、購入費用がかさんだり、手軽さに欠けたりするように見受けられる。
【課題を解決するための手段】
【０００４】  本考案は、はたきのような形状の、黄色のビニールヒモを束ねたものを、カラスなど鳥を避けたい場所にくくりつけるだけなので、比較的に安価で、どこでも手軽に利用することができる。
【考案を実施するための最良の形態】
【０００５】  ハタキの柄棒の部分が付いていると、風に揺れにくく、人が動かさなければならず、また設置しにくいので、図１で示すように、柄棒の代わりに麻糸を用い、黄色のビニールヒモを束ね、所定の場所にひもでくくりつけることで、複雑な色の陰影ができ、鳥の警戒を強める。【０００６】  さらに、ヒモで吊すことにより、風や震動によりゆらゆらと動き、ヒモがこすれる音もするので、より鳥の警戒心をあおることができる。【０００７】  以下、本考案の一実施形態を図面に基づいて説明する。
図１には本実施形態の概略構成が示されている。
図１において、鳥よけ本体２にあたる部分は、黄色のビニールヒモを１０本ほど束ね、その真ん中をつり下げ用ヒモ３で結び、そこを支点にしてビニールヒモの両端を合わせるように半分に折り曲げ、つり下げ用ヒモ３の数センチメートル下を留めヒモ４で結んだ構成になっている。【０００８】  なお、次の変形、改良等は本考案に含まれるものである。
ヒモの数量、材質、形状、大きさ、長さ、太さなどは限定されるものではなく、たとえばヒモの数量が多くても少なくても、ヒモの材質が固くても柔らかくても、まっすぐでも縮れていても、大きくても小さくてもよい。
たとえば、ヒモの材料をゴム、鉄製のチェーンなどにしてもよい。
くくりつけるヒモに、フックなどをつけたり、あるいはくくりつける場所のないときには、地面やものの上に置いたり、地面に刺すなどして設置できる棒状のものをあらかじめ取り付けてもよい。
ヒモに鈴など音の出るものをつけて、音が鳴るようにしてもよい。
人形や他の鳥よけなどに本発明を取り付けてもよい。
【実施例】
【０００９】  自宅ベランダにカラスが来ていたが、本考案に係る鳥よけをベランダ手すりに約２ｍ間隔ほどで設置したところ、カラスは姿を見せなくなった。【００１０】  飲食店が数店舗利用しているゴミ収集所でいつもカラスにより生ゴミが食い散らかされていたが、本発明に係る鳥よけをゴミ収集所の柵に１ｍ間隔ほどに結びつけて以来、カラスは姿を見せなくなり、ゴミが食い散らかされることはなくなった。【００１１】    階建てマンションの、外に面した  階通路の手すりにカラスなどの鳥が留まり、手すりのある側通路端の排水溝に糞を沢山落としていたが、本発明に係る鳥よけを、手すりに２ｍ間隔で結びつけておいたところ、カラスなどの鳥はほとんど近寄らなくなり、糞が落ちていることもなくなった。すぐ隣にある木に巣を作っていたが、巣も移動した様子。
【産業上の利用可能性】
【００１２】  本考案に係る鳥よけは、工業的に量産することが可能であるため、産業上の利用の可能性を有する。
【図面の簡単な説明】
【００１３】
【図１】  本考案の一実施形態に係る鳥よけの全体構成を示す正面図。
【符号の説明】
【００１４】    １…鳥よけ
２…鳥よけ本体（黄色ビニールヒモ）
３…つり下げ用ヒモ（麻ヒモ）
４…留めヒモ（麻ヒモ）
【図１】
0003138036.tif 000003
(57)【要約】      （修正有）【課題】手がフリーな状態で傘をさしていられる傘補助固定具を提供する。【解決手段】ゴムを通したタスキとリングとからなる傘補助固定具であって、前記タスキの両端を前記リングの先端部を引っ張ってタスキを身体に固定し、傘の枝を前記リングの位置で前記タスキにあて、前記タスキの先端部を前記枝に巻きつけて、傘を固定することを特徴とする傘補助固定具。【選択図】図４
0003138037.tif 000002
【実用新案登録請求の範囲】
【請求項１】
ゴムを通したタスキとリングとからなる傘補助固定具であって、前記タスキの両端を前記リングの先端部を引っ張ってタスキを身体に固定し、傘の枝を前記リングの位置で前記タスキにあて、前記タスキの先端部を前記枝に巻きつけて、傘を固定することを特徴とする傘補助固定具。
【考案の詳細な説明】
【技術分野】
【０００１】    本考案は、ゴムの特性（収縮）を利用し、前後、左右、上下に自由に傘の向きを変えられ、雨の降る方向に調節ができ、雨の降る方向に対応して、傘を強力に補助固定する。傘補助固定具に関するものである。
【背景技術】
【０００２】    従来傘をさす時、片手で傘の枝を持つため、片手がふさがり、多くの荷物を持ったり、または子供を抱いたり、手をつなぐときなど両手がふさがれて不便である。
【考案の開示】
【考案が解決しようとする課題】
【０００３】  本考案は掲げる問題点を解決するものであって、手がフリーな状態で傘をさしていられる傘補助固定具を提供する
【課題を解決するための手段】
【０００４】  中にゴムを通したタスキとリングからなる傘補助固定具であって中にゴムを通したタスキを肩に掛け、タスキの先端をリングに通し、リングの所でタスキをひっぱりながら調節し、身体に固定する。傘をさし、固定された所に傘の枝をおき、傘と補助固定具を巻きつけると傘が固定され、傘を補助固定する。
【考案の効果】
【０００５】  本考案は以上の通り構成するものであり、傘が固定され、安定が保たれ、傘を支える力を半減させ、雨の日の傘をさした時の不便さを解決できる補助固定具である。
【考案を実施するための最良の形態】
【０００６】  以下、図面に示す実施の形態について説明する、
本考案の傘補助固定具１００は、ゴムが通されたタスキとリングからなる。図１に示すように布（ナイロンなど）で一本のタスキ１を作り中にゴム２を通す。布はゴムの長さより長くしておりゴムを通すと布にダーツができる。ゴムの特性（収縮）を最大限に利用するため網状の伸びが良い上質のゴムを使用し、ゴム幅３ｃｍのゴムを利用する。
ゴム幅４ｃｍを使用すると、身体が締め付けられ、身体にフィットする感覚がなく、またゴム幅２ｃｍを使用すると傘を支える力が弱くなり安定感が保たれないため、補助固定具が身体にフィットし、尚且つ収縮力のあるゴム幅３ｃｍを使用する事により身体にフィットし、圧迫感がないのでゴム幅３ｃｍがベストである。しかし、ゴムはこれに限られない。
本実地形態の傘補助固定具１００の使用方法としては、まずタスキ１の両端をリング３に通し、輪を形成する。
形成した輪に身体を通して補助固定具１００を身体にかけ、リング３に通したタスキ１を引っ張りながら、身体と補助固定具１００を固定し傘の安定が出来るような形態にする。
身体に固定した補助固定具１００を傘の枝と沿わせて補助固定具１００と傘を巻き付け傘を補助固定する。傘４の枝をリング３の位置でタスキ１に当てて、リング３に挿通されたタスキ１の先端部を傘４の枝に巻きつける。巻きつけたタスキ１の先端は、傘４の枝と身体の間に挟んで固定する。その結果図６に示すように傘は補助固定具１００によって手がフリーな状態で身体に固定される。
【図面の簡単な説明】
【図１】タスキの作り方を示す図
【図２】タスキにゴムを通した状態を示す図
【図３】補助固定具の完成した状態を示す図
【図４】身体に補助固定具を固定した状態を示す図
【図５】補助固定具で傘の枝を巻きつけた状態を示す図
【図６】傘をさした状態を示す図
【符号の説明】
１  タスキ
２  ゴム
３  リング
４  補助固定具１００の拡大図
５  収納ポーチ
【図１】
0003138037.tif 000003
【図２】
0003138037.tif 000004
【図３】
0003138037.tif 000005
【図４】
0003138037.tif 000006
【図５】
0003138037.tif 000007
【図６】
0003138037.tif 000008
(57)【要約】      （修正有）【課題】転倒防止になり、衛生的ですのこの代わりになるステップ台を提供する。【解決手段】平板状のベ−ス体の表面に、複数個から成る溝条が形成されて成り、溝状の突起部表面の断面形状が、Ｒ１．６前後以上で、かつ突起部のピッチが、５ないし１０ミリメ−トル前後から成るところの、摩擦係数が大なるステップ台が、主にアルミニュウムや、ステンレス材料あるいは銀、もしくは金材料等の錆びない材料もしくは、硬質プラスチック等から成ることを特徴とするお風呂用ステップ台。【選択図】図２
0003138034.tif 000002
【実用新案登録請求の範囲】
【請求項１】
温泉地、あるいは銭湯用、またはホテル内の風呂、もしくは家庭などで用いられる、お風呂用のステップ台に関し、前記のステップ台が、平板状のベース体の表面に、複数個からなる溝条が形成されてなり、それらの溝条の両端が開放されていることを特徴とする、お風呂用ステップ台。
【請求項２】
溝条の、突起部表面の断面形状が、ほぼＲ１前後以上で、突起部のピッチが５〜２０ミリメ−トル前後から成ることを特徴とする、請求項１記載のお風呂用ステップ台。
【請求項３】
ステップ台の材料が、主にアルミニュウムやステンレス材料、あるいは銀、もしくは金材料等の錆びない材料、もしくは硬質プラスチック材料等によって成ることを特徴とする、請求項１記載のお風呂用ステップ台。
【考案の詳細な説明】
【技術分野】
【０００１】  本考案は、温泉地あるいは銭湯用などの、比較的広い場所や、また家庭などでも用いられる、お風呂用の、ステップ台に関する。
【背景技術】
【０００２】  日本の全国には、無数の温泉が湧き出しており、その効用も多種多様で、▲１▼胃腸病・内臓関係に効果のある温泉や、あるいは▲２▼アトピー性皮膚炎や、多くの皮膚病に効果のある温泉、▲３▼また、リュウマチや腰痛・神経痛に効果のある温泉、▲４▼さらに美肌作用や、便秘に効果があったり、▲５▼呼吸器疾患に効果がある温泉や、▲６▼都会病と云われる不眠症や、ノイロ−ゼに効果がある温泉等あって、さらに又最近では、飲泉の効果なども謳われだして久しい。
【考案の開示】
【考案が解決しようとする課題】
【０００３】  前述したように、温泉への入浴は、体の疲れを癒し、また明日への英気を養う場でもあったが、従来からこれらの温泉での、脱衣場と湯殿との間の行き来には、棕櫚縄等で編んだ、すのこが、滑り止めに敷かれて、転倒防止等の目的で、用いられてきた。
【課題を解決するための手段】
【０００４】  また前記のすのこは、他の物品等と比較して、水切れが良いので、ベトベト感も少なく足に快いという理由で、重用されてきたが、使用頻度が高いと、竹製のすのこや、檜製のすのこや、またプラスチック製のすのこ等と同様に、時間の経過とともに、ぬめりが出たり、黒かびが発生したりして、衛生的にも不完全なものとなっていた。【０００５】  本考案は、前記等の欠点を解決した、風呂場などの新規の、転倒防止用のかつ衛生的な、すのこに代わるステップ台を、提供しようとするものである。
【考案の効果】
【０００６】  上述したように、入浴どきに用いられる、本発明によってなるステップ台は、主に脱衣場と、湯殿との間の行き来に於いて、用いられるものであり、平板上のベース体の上表面には、複数個からなる溝条が新たに形成されているので、踏みわたるときの摩擦抵抗が大きく、また足の裏に適度な刺激が加わり、かつ溝状の両端が開放されている効果で、喫水性も良くなり、また足の裏への滑り止めの効果も大きく、転倒の防止に役立つとともに、清掃時に溝に沿って、縦方向にブラッシングをしたあと、お湯を流すだけで、簡単にクリィニングができるという、大きなメリットがあり、また、ぬめりや黒カビを、この効果で激減させることができた。
【考案を実施するための最良の形態】
【０００７】  これまで、すのこの製作には主に、棕櫚縄などの有機物材料が、用いられてきたが、本考案では、主にステンレスやアルミニュウム材料、あるいは銀もしくは金材料などの、錆びない金属を、すのこのベ−ス材料として初めて用いた。また使用環境などにより、表面に様々な表面処理および塗装等の防錆用のコーティング等を施す場合もある。
【実施例】
【０００８】  以下、添付図面にしたがって、一実施例を説明する。一般に洋風建築などの床材用の材料としては、例えばピ−タイルと呼ばれる難燃性材料などが、使用されているのは公知である。本考案による、ステップ台の最小単位も、はめ込み及び着脱可能なように、一辺の寸法が、例えば９８ミリから２９８ミリメートルとし、その長さは１００ミリから１８００ミリメートル程度の、さまざまな正方形・長方形を、同様に最小の単位として設定しているので、例えば４まいを１組として、脱衣場と湯殿との間の通路に設置すると、互いに２ミリメートルの、クリアランスを有している効果で、補助材などを用いて、４枚を１組として組み合わせやすく、ほぼ６００ミリ角程度のステップ台を、１単位とする使用が、可能となった。【０００９】  また第２図には、前記ステップ台の正面図を示した。この図では下部に、３ないし１０ミリメ−トル厚から成るベ−ス部を有し、その上部には５ないし２０ミリメ−トルの高さで、かつＲが１ないし３ミリメートル以上の溝条を形造るリブが存する。また隣接するリブの頂点間ピッチは、６ないし３０ミリメートルで、好ましくは前記のリブの上部は、Ｒ１．６ミリメ−トル前後以上で形成されているので、その効果で着地どきに、足の裏に快い刺激の伝わることは云うまでも無い。また前記の隣接するリブの頂点間ピッチは、６ないし３０ミリメートで、好ましくは９ミリメートルに定めてある。
【図面の簡単な説明】
【００１０】
【図１】本考案によって成る、温泉地あるいは銭湯、もしくは家庭などで用いられる、お風呂用ステップ台の実施例を示す、平面図である。
【図２】本考案による、前記ステップ台の実施例を示す、正面図である。
【図３】溝条突起部の１部拡大図である。
【図４】溝条両端の開放部の１部拡大図である。
【図５】本考案によって成る、お風呂用ステップ台の側面図である。
【符号の説明】
【００１１】  １  ベ−ス部
２  溝条
３  滑り止め用開口部
４  クリ−ニング用開口部
【図１】
0003138034.tif 000003
【図２】
0003138034.tif 000004
【図３】
0003138034.tif 000005
【図４】
0003138034.tif 000006
【図５】
0003138034.tif 000007
(57)【要約】【課題】  洗顔用泡立て具のうち、ネット材を用いたものは、水切りは良いが、泡立てを良くするためにはネット材を多重に重ねる必要があり、手触りを良くするために軟らかいネット材を用いると開口部が閉塞するという課題がある。スポンジ材を用いたものは、泡立ちは良いが、厚手で軟らかい素材を用いるほど水切りが悪くなり衛生面の課題がある。【解決手段】  筒状のネット材を適当な長さで一重に裁断し、薄く帯状にしたスポンジ材を筒状のネット材に縫製又は圧着で取り付けて本体を形成し、一端に吊下げ具を結束すると良い。本考案による泡立て具の本体は、薄いスポンジ材で泡立ちを保持し、ネット材で強度を保ち、軟らかい筒状のネット材をスポンジ材の反発力によって開口部を丸く開いておくように形成したものである。【選択図】図４
0003138032.tif 000002
【実用新案登録請求の範囲】
【請求項１】
合成樹脂繊維の筒状のネット材を適当な長さに裁断したものの一端部に吊下げ具を結束し、ネット材の強度と水切りの良さにスポンジ材の泡立ちの良さをあわせもたせるため、筒状のネット材の端部に沿って、薄く帯状に裁断したスポンジ材を縫製又は圧着して形成することを特徴とする洗顔用泡立て具。
【考案の詳細な説明】
【技術分野】
【０００１】  本考案は、石鹸、洗顔料等を泡立てる用途に使用される泡立て具に関するものである。
【背景技術】
【０００２】  従来は、合成樹脂繊維の筒状のネット材を中間部で多重に折返し、折返しの反対の端部に吊下げ用具を取り付け、折返し部から固形石鹸を挿入するように形成された泡立て具が認められる。このような泡立て具は、一定の泡立て効果を得るためにはネット材を多重に重ねる必要がある。このような用例としては、特許公開２０００−２４５６４９、特許公開２００１−１６９９６０、特許公開２００３−１５９１９２がある。軟らかいネット材を用いた泡立て具は、水をふくむと開口部が閉塞し固形石鹸の出し入れが不便で、泡立て効果を高めるためにネット材を多重に重ねることとなり結果的にネット材の使用量が多くなる。【０００３】  また、古くから天然素材であるヘチマや海綿を用いた泡立て具が用いられ、類似の用例としてスポンジ材を用いた泡立て具が認められる。スポンジ材は、きめ細かな泡立ちが得られるものの強度が弱く厚手のものを使用する必要がある。このような用例としては、特許公開２００３−２０４８９４、実用新案出願２００４−５７７３がある。スポンジ材を用いた泡立て具は、合成樹脂発泡体である厚手のスポンジ材を用いスポンジ材の有する保水性と多孔によるきめ細かな泡立ちを得ることができるが、厚手になることで保水性が高まり衛生面での課題が生じ、結果的にスポンジ材の使用量が多くなる。
【考案の開示】
【考案が解決しようとする課題】
【０００４】  本考案は、薄く帯状にした強度の小さいスポンジ材と水切れが良く強度の大きい合成樹脂繊維の筒状のネット材で一重のもので本体を形成し、強度があり、水切れが良く衛生的で、スポンジ材のもつきめ細かな泡立ちをえることができ、固形石鹸の出し入れが容易な泡立て具を提供しようとするものである。
【課題を解決するための手段】
【０００５】  その解決手段を図面を追いながら説明すると。
図１で示すように、適当な長さに裁断した筒状ネット（１）の一端に、薄い帯状のスポンジ材（２）を縫製や圧着することで取り付け、図２で示すように丸く円筒形に泡立て具の本体を形成する。この泡立て具の本体は、一重のネットと薄い帯状のスポンジ材で形成したものである。このようにすると、スポンジ材のきめ細かな泡立て機能を有し、スポンジ材を薄くしたことで水切りが良くなる。また、薄いスポンジ材の強度をネット材と組み合わせることで補強できる。更に、薄い帯状のスポンジ材を筒状のネット材の裾に丸く取り付けたことで、形状の保持が困難なネット材を補強して本体の一方が円形を保ったものとすることができる。図３で示すように、吊り手リングのついた吸盤を本体の他端部に結束して袋状になった本体を反転させると、図４に示すように、一重の筒状のネット材と薄い帯状のスポンジ材によって構成された新たな機能材によって形成した泡立て具とすることができる。
【考案の効果】
【０００６】  本考案では、一重の筒状のネット材と薄い帯状のスポンジ材で、薄くて、水切れが良く、泡立ちの良い機能材を形成することで、多重のネット材や厚手のスポンジ材を用いたものより、石油を起源とする素材の使用量を少なくして地球環境に配慮した製品とすることができる。また、薄い帯状のスポンジ材を用いたことで、水切れが良く衛生的で、スポンジ材のもつきめ細かな泡立ち得ることがき、筒状のネット材と組み合わせることでスポンジ材を補強し、筒状のネット材をスポンジ材が円形に開口させる機能を発揮することで、固形石鹸の出し入れが容易な泡立て具とすることができるものである。
【本考案を実施するための最良の形態】
【０００７】  本考案は、筒状のネット材を適当な長さに裁断し、一重での筒状のネット材の一端に沿って薄い帯状のスポンジ材を丸く縫製又は圧着して取り付けることで、図２のような泡立て具の本体を形成することができる。この本体のネット材の他端部を図３のように絞り、吊下げリングの着いた吸盤を挿入し、吊下げリングの中ほどをネット材の上から結束して本体の開口部から結束部に向けて反転させると、水切れが良く衛生的で、スポンジ材のもつきめ細かな泡立ちと固形石鹸の出し入れが容易な泡立て具となる。
【実施例】
【０００８】  本考案の実施に当たっては、筒状のネット材に取り付ける薄い帯状のスポンジ材の幅を狭くすることで泡立ちの少ない泡立て具とすることができ、幅を広くすると泡立ちの多い泡立て具とすることができる。筒状のネット材の他端部に取り付ける吊下げ具は、紐をリング状にしたものを用いても形成することができる。
【図面の簡単な説明】
【０００９】
【図１】    本考案の本体部分の形成過程での斜視図である。
【図２】    本考案の本体部分の斜視図である。
【図３】    本考案の吊下げ用具の装着過程での斜視図である。
【図４】    本考案の斜視図である。
【符号の説明】
【００１０】  １  本体を形成する筒状のネット材
２  本体を形成する薄い帯状のスポンジ材
３  装着する吊下げ具の吊下げリング部分
４  装着する吊下げ具の吸盤部分
５  本体と吊下げ具の結束部分
【図１】
0003138032.tif 000003
【図２】
0003138032.tif 000004
【図３】
0003138032.tif 000005
【図４】
0003138032.tif 000006
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
合成樹脂繊維の筒状のネット材を適当な長さに裁断したものの一端部に吊下げ具を結束し、ネット材の強度と水切りの良さにスポンジ材の泡立ちの良さをあわせもたせるため、筒状のネット材の他端部に沿って、薄く帯状に裁断したスポンジ材を縫製又は圧着して形成することを特徴とする洗顔用泡立て具。
(57)【要約】      （修正有）【課題】商品下げ札と万引き防止のＩＣチップを別々に装着するのに手間が掛かるのとＩＣチップが剥がされることが多々ある。合体した商品下げ札とＩＣチップを提供する。【解決手段】２枚の紙の間に金属であるＩＣチップを挟み込むことによって商品下げ札が引きちぎられないようになる。現状は商品下げ札とＩＣチップを別々に装着しているものが、２つの機能の融合により装着が１度で済み人件費が減る。外見上普通の下げ札に見えるため万引き犯に防犯用札と悟られない。【選択図】図１
0003138035.tif 000002
【実用新案登録請求の範囲】
【請求項１】
商品下げ札と万引きゲート感知用ＩＣチップが合体することで装着が２度手間にならない商品下げ札。
【請求項２】
紙の商品下げ札と金属のＩＣチップを合体させることで引きちぎれなくなった商品下げ札。
【考案の詳細な説明】
【技術分野】
【０００１】万引を防止する為に、商品に取り付けられたＩＣチップ付き紙等で出来た下げ札が事故又は犯罪によって商品から離脱させられることがないようにした考案である。
【技術背景】
【０００２】商品の識別や管理、盗難防止の為にＩＣチップをステッカー状にして商品、又は商品に下げる下げ札に貼り付けていたが、万引き犯等により当のＩＣチップが剥がされてしまう危険性があった。その危険性を回避するために、ＩＣチップが剥がれずらい商品下げ札を考案する必要がある。
【考案の開示】
【考案が解決しようとする課題】
【０００３】接着式のステッカーは盗難や他の原因で商品から離脱してしまい、その機能が果たせなくなることが多々あった。さらにアパレル、シューズ等にステッカーを直接接着させることは不適切であるので、下げ札にＩＣチップを接着して商品から吊り下げていたが、接着させたＩＣチップが剥がれたり剥がされたりしていた。
【課題を解決する手段】
【０００４】本考案は  商品下げ札にＩＣチップとアンテナが乗った、ラケットの形状をした金属の薄板を二枚以上の紙、又は紙状のもので挟むことでＩＣチップの離脱を防ぐものである。
【考案の効果】
【０００５】本考案は、下げ紐を二枚以上の紙または紙状の物で挟まれているラケット状の金属薄板の柄の部分に開けられた孔を通すことにより下げ札が商品からむしりとられることを防ぐ商品を提供するものである。
【０００６】本考案は  ＩＣチップを乗せた金属薄板をラケットの様な形状にしてその柄の部分に紐を通す事で孔の周りが強化され、商品下げ札を商品から引きちぎられづらくした。
【０００７】本考案は  ＩＣチップを乗せた金属薄板をラケット状にして、その柄の部分に孔を開けて商品に繋がる紐に力が加わったとしてもＩＣチップそのものにはその牽引力が伝わりづらくＩＣチップと周囲のアンテナの変形を防ぐ機能が付加されている。
【０００８】本考案によって、従来万引き犯や事故によって商品下げ札が商品から離脱しずらくなり万引きや事故によっての商品の盗難や紛失が著しく減る効果を有する。
【０００９】考案を実施するための最良の形態
ＩＣチップとそれを囲む形のアンテナを卓球のラケット状に成型された金属薄板の上に乗せ、それを紙等ではさみ、外形上は通常の商品下げ札のように成型する。
【００１０】成型された金属薄板のラケットの柄の部分を通るように、挟んだ紙の上から孔を開け孔の周囲が強化された場所に下げ紐がとおり、商品に結ばれるようにする。
【実施例】
【００１１】以下、本考案の実施例を図に基づき説明をする。
図１は紙と紙で挟んだＩＣチップの図
図２は紙とＩＣチップを合体させ、孔に紐を通した図。
作成した商品下げ札の中央上部に位置するラケット状の金属薄板の柄の部分を紐が通るように紙又は紙状のものもろともに開けられた孔に通された紐によって商品に結びつけることにより下げ札の離脱を防ぐ商品下げ札を提供するものです。
【産業上の利用可能性】
【００１２】万引きが原因で店を閉めなくてはならなくなる様な現状を打破するためにはこの下げ札によって犯人の犯行を未然に阻止し健全な店の運営にすることが不可欠である。
【図面の簡単な説明】
【図１】紙又は紙状のもので挟んだＩＣチップの図。
【図２】作成した商品下げ札の孔に紐を通した図。
【図１】
0003138035.tif 000003
【図２】
0003138035.tif 000004
(57)【要約】      （修正有）【課題】打撃による破裂、亀裂が生じず、構造が堅固で、加工工程も迅速、且つ、容易であるアルミ製バットを提供する。【解決手段】グリップ３１、グリップから一体延伸する打撃部３２からなり、打撃部前端は弧形蓋状の封口段３３を一体形成する。バットのグリップ、打撃部、封口段の内部は空心で、封口段の中央頂端位置に細小の円形封閉孔３４を形成して、バットの内部空心を封閉する。【選択図】図１
0003138075.tif 000002
【実用新案登録請求の範囲】
【請求項１】
グリップと、グリップから一体延伸する打撃部からなり、前記バットの打撃部前端は弧形蓋状の封口段を一体形成し、前記バットのグリップ、打撃部、封口段の内部は空心で、バット封口段の中央頂端位置に細小の円形封閉孔を形成し、前記封閉孔により内部空心を封閉することを特徴とする、アルミ製バット構造。
【請求項２】
前記バット打撃部前端の封口部は、転動により一体成型することを特徴とする、請求項１に記載のアルミ製バット構造。
【請求項３】
前記バット打撃部前端の封口部は、点溶接により一体成型することを特徴とする、請求項１に記載のアルミ製バット構造。
【考案の詳細な説明】
【技術分野】
【０００１】
本考案は野球のバットに関するものであって、アルミ棒の組成に改良を加え、打撃の周縁が無溶接のアルミ製バットに関するものである。
【背景技術】
【０００２】
アルミ製バットは材料を節約し、重量を軽減し、握りやすくするため中空に製造される。図８〜図１０で示されるように、バット１はアルミ製の主体１０前端にアルミ製封口蓋２０を結合してなり、主体１０はグリップ１１前端が打撃部１２を延伸してなる。バット主体１０内部は中空状で、打撃部１２前端部は開口１３を形成し、封口蓋２０は弧形の蓋状で、蓋状底縁は主体１０の開口１３と係合する。バット１の成型は封口蓋２０を主体１０の開口１３に蓋合し、溶接により対合する周縁を溶接封閉し、溶接のある円周線１４を生成し、溶接終了後のバット１は、研磨により溶接円周線１４表面の余分な溶接材料を平坦にする。この工程は時間も人力も費やす。またボールは非常に硬いので、バット１がボールを打撃する際の力は非常に大きく、主体１０の打撃部１２周縁が、溶接方式により円周が大きい溶接円周線１４を生成する時、溶接材料の熱溶融結合度が不足で材料加熱材質が劣化し、溶接円周線１４中の気泡等の問題があり、打撃時に溶接円周線１４位置で裂痕１５が発生し、図１１、図１２で示されるように、打撃の力に影響する。
【考案の開示】
【考案が解決しようとする課題】
【０００３】
本考案はアルミ製バットの構造を提供し、上述の問題を改善することを目的とする。
【課題を解決するための手段】
【０００４】
本考案のアルミ製バット構造は、バット封口段の中央頂端位置に細小の円形封閉孔を形成し、頂端位置だけ細小の円形封閉孔を封閉する方式により、バット打撃時に破裂、裂痕が生じず、更に耐用性があり、バットの打撃力に影響を与えず、また、頂端位置に細小の円形封閉孔を形成し、封閉は快速、且つ、簡単に点溶接を完成するので、点溶接の封閉方式は迅速、簡単、研磨も容易である。
【考案の効果】
【０００５】
本考案のアルミ製バットは、打撃による破裂、亀裂が生じず、構造が堅固で加工工程も迅速、且つ、容易である。
【考案を実施するための最良の形態】
【０００６】
図１〜図４で示されるように、バット３０はアルミ材を加工してなり、グリップ３１、グリップ３１から一体延伸する打撃部３２からなり、打撃部３２前端は弧形蓋状の封口段を３３一体形成する。バット３０のグリップ３１、打撃部３２、封口段３３の内部は空心で、封口段３３の中央頂端位置に細小の円形封閉孔３４を形成して、バット３０の内部空心を封閉する。
【０００７】
バット３０の加工が未完成の時、打撃部３２の前端は全体が開放された開口で、打撃部３２の長さは予設のものより長く、バット３０の打撃部３２の前端を封口段３３に加工するのは転動方式による。図５で示されるように、バット３０は可動座上に固定され、バット３０前端の位置は旋転する型４０を設置する。型４０前方はキャビティ４１を有し、キャビティ４１の形状は打撃部３２前端封口段３３の形状に合わせて準備され、型４０が旋転する時、バット３０は前端部を型４０のキャビティ４１中に設入すると共に、押圧方式でキャビティ４１に対し推入し、打撃部３２前端は押圧と旋転の力により、キャビティ４１に従って徐々に弧状に縮小する。図６で示されるように、打撃部３２前端は細小の円形封閉孔３４を有する封口段３３に加工され、図７で示されるように、封閉孔３４は点溶接により封閉及び適当に修整される。
【０００８】
上述のような構造により、以下のような長所が得られる。バット３０はグリップ３１、打撃部３２、封口段３３がアルミ材で一体加工され、内は直接空心状に形成され、封口段３３の中央頂端位置にだけ細小の円形封閉孔３４を形成し、頂端位置だけ細小の円形封閉孔３４を封閉する方式により、バット３０は打撃時に破裂、亀裂が生じず、使用に耐用性があり、バットの打撃力にも影響せず、更に頂端位置に細小の円形封閉孔３４を形成し、封閉は快速、且つ、簡単に点溶接で完成する。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の立体図
【図２】図１の部分拡大図
【図３】本考案の組み合わせ断面図
【図４】図３の部分拡大図
【図５】本考案の封口段加工過程図１
【図６】本考案の封口段加工過程図２
【図７】本考案の封口段加工過程図２
【図８】公知の立体分解図
【図９】公知の立体組み合わせ図
【図１０】図９の部分拡大図
【図１１】公知のバットの破裂、裂痕が生じた状態図
【図１２】図１１のバットの破裂、裂痕の部分拡大図
【符号の説明】
【００１１】
１      バット
１０    主体
１１    グリップ
１２    打撃部
１３    開口
１４    溶接円周線
１５    裂痕
２０    封口蓋
３０    バット
３１    グリップ
３２    打撃部
３３    封口段
３４    封閉孔
４０    型
４１    キャビティ
【図１】
0003138075.tif 000003
【図２】
0003138075.tif 000004
【図３】
0003138075.tif 000005
【図４】
0003138075.tif 000006
【図５】
0003138075.tif 000007
【図６】
0003138075.tif 000008
【図７】
0003138075.tif 000009
【図８】
0003138075.tif 000010
【図９】
0003138075.tif 000011
【図１０】
0003138075.tif 000012
【図１１】
0003138075.tif 000013
【図１２】
0003138075.tif 000014